(57)【要約】【課題】  防音施設を備えた設備の設置面積を可能な限り狭くし、設備の小型化や現地での施工性を考慮しながら、充分な維持管理用の作業スペースを確保できること。【解決手段】  周囲が低壁１０ａで囲われた基礎部１０を備え、基礎部１０内の低壁１０ａ高さ付近に床面４０を架設し、上流側の配管１Ａと下流側の配管１Ｂに接続される配管部（第１の直線配管部２１，第２の直線配管部２２，屈曲配管部２３，接続配管部３１，３３，バイパス配管部３２）を床面４０の下に設置する。また、整圧装置を含む維持管理部を前記配管部から床面４０上に分岐した配管部（配管部２４Ａ，２４Ｃ，第３の直線配管部３４）に設け、低壁１０ａ上に維持管理部を覆うボックス５０を付設する。【選択図】    図２
2005291443.tif 000002
【特許請求の範囲】
【請求項１】
上流側の配管から供給される流体を下流側の配管に供給する配管設備において、
床面を架設し、
前記上流側の配管又は前記下流側の配管に接続される配管部の一部を前記床面の下に配備すると共に、前記配管部から分岐した維持管理用の配管部を前記床面の上に配備したことを特徴とする配管設備。
【請求項２】
前記床面は防音施設内に架設されることを特徴とする請求項１に記載された配管設備。
【請求項３】
周囲が低壁で囲われた基礎部を備え、該基礎部内の前記低壁高さ付近に前記床面を架設したことを特徴とする請求項１又は２に記載された配管設備。
【請求項４】
前記低壁上に防音用のボックスを付設することを特徴とする請求項３に記載された配管設備。
【請求項５】
前記基礎部は、少なくとも一部が地面下に形成されることを特徴とする請求項３又は４に記載された配管設備。
【請求項６】
前記低壁は、前記配管部、又は前記上流側又は下流側の配管が貫通する貫通穴を有することを特徴とする請求項３又は４に記載された配管設備。
【請求項７】
前記配管部は、整圧装置を備えた整圧配管ユニットを備えることを特徴とする請求項１〜６のいずれかに記載された配管設備。
【請求項８】
前記整圧配管ユニットは、前記上流側の配管に接続される第１の直線配管部と、該第１の直線配管部と平行に配置された第２の直線配管部とが前記床面の下に配備され、前記第１の直線配管部と前記第２の直線配管部とを連通する前記整圧装置を設けた配管部が前記床面の上に配備されることを特徴とする請求項７に記載された配管設備。
【請求項９】
前記配管設備は、流量計を備えた流量計配管ユニットを備えることを特徴とする請求項１〜８のいずれかに記載された配管設備。
【請求項１０】
前記流量計配管ユニットは、バイパス配管部が前記床面の下に配備され、該バイパス配管部に沿って形成された流量計を設けた直線配管部が前記床面の上に配備されることを特徴とする請求項９に記載された配管設備。
【請求項１１】
前記床面は、床上から床下が目視可能な網目構造であって、着脱可能な分割体からなることを特徴とする請求項１〜１０のいずれかに記載された配管設備。
【発明の詳細な説明】
【技術分野】
【０００１】
本発明は、配管設備に関するものである。
【背景技術】
【０００２】
可燃性ガス等の流体供給設備においては、上流側の配管から供給される流体を下流側の配管に供給する配管設備として、上流側の配管から供給される流体を整圧して下流側の配管に供給する整圧用配管設備（特に、ガス供給設備においてはガバナ設備と呼ばれる）等が配備されている。この整圧用配管設備としては、上流側の配管と下流側の配管との間に整圧装置や流量計を含む配管部を接続するものであるが、整圧時に発生する騒音の対策として、整圧装置を備えた配管部を防音壁で覆った整圧室（整圧ボックス）を備えるものが多い。特に、上流側の配管に整圧装置を備えた配管部を接続し、その下流側に流量計を備えた配管部を接続する場合には、整圧装置の下流側で騒音が顕著になる傾向があるので、整圧装置を備えた配管部と流量計を備えた配管部を共にボックス内に収容する設備が採用されている。
【０００３】
このような配管設備の従来技術として、下記特許文献１に記載のものが知られている。これによると、設備の現地施工の簡略化と現地据え付け精度の高精度化、また仕様変更や機能付加などの要求を考慮して、地上配管設備を支持固定材（スキッド）に固定し、ボックス（建物）の構造部材に結合して、運搬可能な一体構造物にしている。そして、この設備の設置に際しては、当該設備の基礎を形成し、工場製作によってユニット化された各種配管設備（整圧設備、流量計設備等）を現地に搬入して、基礎上に支持固定材を位置決めし、各種配管設備を上流側或いは下流側の配管に溶接，フランジ等で接続することがなされている。
【０００４】
【特許文献１】特開２００１−１４１１９９号公報
【発明の開示】
【発明が解決しようとする課題】
【０００５】
このような配管設備においては、道路等の周辺施設への影響を考慮して、設備の設置面積を可能な限り狭くすることが求められている。また、設置面積を狭くすることで、前述したように配管部をユニット化して現地に搬入する場合には、ユニットの小型化により運搬が容易になるというメリットも得られる。
【０００６】
一方、配管設備は、例えば、整圧装置や流量計のメータのように人手による維持管理を必要とする装備があるので、配管部を覆うボックス内に人が入って維持管理作業を行うためのスペースを確保する必要がある。
【０００７】
しかしながら、前述した従来の配管設備では、限られた専有面積内に整圧装置を備えた配管設備と流量計を備えた配管設備とを密に配備すると、配管の設置スペースによって設備の基礎上の面積が専有されてしまい、人が作業する維持管理用の作業スペースを充分に確保することができないという問題が生じる。
【０００８】
また、従来の配管設備は、基本的には、基礎上の平面に支持固定材を介して配管設備を設置して、その周囲を防音用のボックスで覆っているにすぎないので、比較的無防備な状態で基礎上に配管設備が設置されている。したがって、予期せぬ衝撃を受けた場合には、基礎に設置された配管設備を充分に保護することができないという問題がある。
【０００９】
本発明は、このような問題に対処するために提案されたものであって、配管設備の設置面積を可能な限り狭くして、設備の小型化や現地での施工性を考慮しながら、充分な維持管理用の作業スペースを確保できること、また、防音施設内に設置された配管部を保護すると共に確実な防音効果を得ること等が本発明の目的である。
【課題を解決するための手段】
【００１０】
このような目的を達成するために、本発明は以下の特徴を有するものである。
【００１１】
一つには、上流側の配管から供給される流体を下流側の配管に供給する配管設備において、床面を架設し、前記上流側の配管又は前記下流側の配管に接続される配管部の一部を前記床面の下に配備すると共に、前記配管部から分岐した維持管理用の配管部を前記床面の上に配備したことを特徴とする。
【００１２】
また、前述の配管設備において、前記床面は防音施設内に架設されることを特徴とする。
【００１３】
また、前述の配管設備において、周囲が低壁で囲われた基礎部を備え、該基礎部内の前記低壁高さ付近に前記床面を架設したことを特徴とする。
【００１４】
また、前述の配管設備において、前記低壁上に防音用のボックスを付設することを特徴とする。
【００１５】
また、前述の配管設備において、前記基礎部は、少なくとも一部が地面下に形成されることを特徴とする。
【００１６】
また、前述の配管設備において、前記低壁は、前記配管部、又は前記上流側又は下流側の配管が貫通する貫通穴を有することを特徴とする。
【００１７】
また、前述の配管設備において、前記配管部は、整圧装置を備えた整圧配管ユニットを備えることを特徴とする。
【００１８】
また、前述の配管設備において、前記整圧配管ユニットは、前記上流側の配管に接続される第１の直線配管部と、該第１の直線配管部と平行に配置された第２の直線配管部とが前記床面の下に配備され、前記第１の直線配管部と前記第２の直線配管部とを連通する前記整圧装置を設けた配管部が前記床面の上に配備されることを特徴とする。
【００１９】
また、前述の配管設備において、前記配管設備は、流量計を備えた流量計配管ユニットを備えることを特徴とする。
【００２０】
また、前述の配管設備において、前記流量計配管ユニットは、バイパス配管部が前記床面の下に配備され、該バイパス配管部に沿って形成された流量計を設けた直線配管部が前記床面の上に配備されることを特徴とする。
【００２１】
また、前述の配管設備において、前記床面は、床上から床下が目視可能な網目構造であって、着脱可能な分割体からなることを特徴とする。
【００２２】
このような特徴によると、以下の作用を得ることができる。
【００２３】
（１）防音施設等の施設内に床面を架設し、上流側の配管又は下流側の配管に接続される配管部の一部を床面の下に配備すると共に、配管部から分岐した維持管理用の配管部を床面の上に配備したので、施設内の配管部を密に配置して配管設備の設置面積を狭くした場合でも、床面上に維持管理用の作業スペースを充分広く確保することができる。
【００２４】
（２）周囲が低壁で囲われた基礎部内に配管部を設置して、その上を低壁高さ付近に架設した床面で覆っているので、配管部を有効に保護することができ、また、低壁上に防音用のボックスを付設することで、低壁とボックスとによって、配管部が完全に覆われることになり、例えば、整圧時の騒音対策を更に強化することができる。特に、基礎部を設けてこの基礎部を介して配管を施設内に導入させることで、ボックスには配管用の開口を形成する必要が無くなるので、ボックスの防音効果を確実に得ることができる。
【００２５】
（３）基礎部は少なくとも一部が地面下に形成されるようにすることで、地下の配管を低壁を介して基礎部内に簡単に導入することができる。また、基礎部を地面上に敷設する場合には、低壁に配管部又は上流・下流配管が貫通する貫通穴を設ける。
【００２６】
（４）配管部としては、整圧装置を備えた整圧配管ユニットを備えるものにすることができ、この場合には、上流側の配管に接続される第１の直線配管部と、該第１の直線配管部と平行に配置された第２の直線配管部とが床面の下に配備され、第１の直線配管部と第２の直線配管部とを連通する整圧装置を設けた配管部が床面の上に配備される。これによって、整圧配管ユニットの配管部を平面上では密に配置することができ、しかも一部を立体配置にすることができる。したがって、設置時の平面的な専有面積を極力小さくすることができると共に、整圧配管ユニットを運搬する際のコンパクトさを得ることができる。
【００２７】
（５）配管部としては、流量計を備えた流量計配管ユニットを備えるものにすることができる。この場合には、流量計配管ユニットのバイパス配管部が床面の下に配備され、該バイパス配管部に沿って形成された流量計を設けた直線配管部が床面の上に配備される。
【００２８】
（６）整圧配管ユニットと流量計配管ユニットとに分けて配管部を構成する場合には、従来技術と同様に、現地での工程を大幅に削減し、工事費の削減、工期の短縮が可能になる。また、各配管ユニットを工場製作できるので、各配管ユニットの溶接や組み立て精度といった品質を向上させることができる。また、分割したユニット化によって、各配管ユニットを現地に搬入する際の運搬作業が容易になる。
【００２９】
（７）流量計配管ユニットを、前述した整圧配管ユニットの第１及び第２の直線配管部に並列したバイパス配管部と該バイパス配管部に沿って形成された流量計を有する直線配管部によって形成し、バイパス配管部を床面の下に配備し、直線配管部を床面の上に配備することで、直線配管部の直線配管部分を充分に確保して、良好な流量計の計測精度を確保した場合であっても、整圧用配管設備全体の専有面積が広くならない。したがって、流量計として、渦流量計，タービンメータ，超音波メータ，オリフィス式流量計，差圧式流量計等、その前後に直線配管部分を必要とするものを採用する場合にも、全体の専有面積を極力小さくすることが可能になる。
【００３０】
（８）床面を網目構造にして床上から床下が目視可能な構造にしているので、床面上の作業スペースから床下の配管部を目視点検することができる。また、床面を着脱可能な分割体にしているので、床下の配管部の一部に問題があった場合に、その部分に対応する分割体を取り外して床下に対する作業を施すことが可能になる。
【発明の効果】
【００３１】
以上に示した特徴を有する整圧用配管設備は、防音施設等を備えた設備の設置面積を可能な限り狭くし、設備の小型化や現地での施工性を考慮しながら、充分な維持管理用の作業スペースを確保することができ、また、設置された配管部を保護すると共に確実な防音効果を得ることができる。
【発明を実施するための最良の形態】
【００３２】
本発明の実施形態を図面を参照しながら説明する。図１及び図２は、本発明の実施形態に係る整圧用配管設備を説明する平面図、図３は、発明の実施形態に係る整圧用配管設備を説明する断面図（Ａ−Ａ断面図）である。以下の実施形態では整圧用配管設備を例にして説明するが、本発明は特にこれに限定されるものではない。
【００３３】
図１は、配管設備の設置状態を説明するために、防音施設の一部であるボックスを省略して、床面を除いた状態の平面図を示している。この実施形態に係る整圧用配管設備は、上流側から可燃性ガス等の流体が供給される配管１Ａと下流側に流体を供給するための配管１Ｂの間に設けられる設備であって、上流側から供給される流体を整圧して下流側に供給するための配管設備である。
【００３４】
この整圧用配管設備は、設置箇所に基礎部１０を形成し、その基礎部１０内に上流側の配管又は下流側の配管に接続される配管部を設置する。この基礎部１０は、周囲が低壁１０ａ（図３参照）で囲われた構造を有しており、地面上又は地面下に敷設されるコンクリート製等の構造物である。特に、その一部を地面下に形成する場合には、図３に示すように、地面の設置範囲を掘削して、その掘削部分にコンクリート打ちを行って基礎部１０を形成する。基礎部１０は少なくとも一部が地面下に形成されている。また、基礎部１０を地面上に敷設して、低壁１０ａに、配管部、又は上流側又は下流側の配管が貫通する貫通穴を形成するようにしてもよい。
【００３５】
この基礎部１０内に設置する配管部は、この実施形態では、破線で囲った、整圧配管ユニット２０と流量計配管ユニット３０からなり、これらが基礎部１０内に設けられる支持固定部材Ｓ上で接合されている。
【００３６】
整圧配管ユニット２０は、上流側の配管１Ａに接続される第１の直線配管部２１、第１の直線配管部２１と平行に配置された第２の直線配管部２２、第２の直線配管部２２から流量計配管ユニット３０に接続される屈曲配管部２３を備えており、第１の直線配管部２１と第２の直線配管部２２とが立体的に配管された配管部２４Ａ，２４Ｂ，２４Ｃによって連通されている。
【００３７】
この配管部２４Ａ，２４Ｂ，２４Ｃは、第１の直線配管２１から上方に分岐して、逆Ｕ字状の曲線を描いて第２の直線配管２２に接続される配管経路を形成しており、配管部２４Ａ，２４Ｃにおいては、その経路に沿って濾過器２５，遮断弁２６，ガバナ（圧力調整弁）２７等を含む整圧装置が装備されている。また、整圧配管ユニット２０には、流量計配管ユニット３０側の配管部に接続されて調整圧をガバナ２７の作動部に導く調整管２８が配備されている。図示６０は遮断弁アクチュエータを示している。
【００３８】
流量計配管ユニット３０は、整圧配管ユニット２０に接続される接続配管部３１、整圧配管ユニット２０における第１及び第２の直線配管部２１，２２に並列して配備されるバイパス配管部３２、下流側の配管１Ｂに接続するための接続配管部３３を備えており、接続配管部３１，３３間にバイパス配管部３２に沿って立体的に第３の直線配管部３４が配管されている。この第３の直線配管部３４は、その中間部分に、渦流量計，タービンメータ，超音波メータ，オリフィス式流量計，差圧式流量計等の流量計Ｍが設けられている。バイパス配管部３２，第３の直線配管部３４には、適宜遮断バルブ３２Ａ，３４Ａが装備されている。また、流量計配管ユニット３０には、接続配管部３１から分岐して前述の調整管２８の端部に接続される調整管３５が配備されている。
【００３９】
また、図２〜図４に示すように、基礎部１０内には床面４０が架設される。この床面４０は、基礎部１０の低壁１０ａ高さ付近に床面レベルを形成するように架設されることになる。この床面４０は、網目構造（グレーチング構造）になっており、床上から床下が目視できるようになっている。また、図４の二点破線で示すように、床面４０は適当な面積の分割体を組み合わせた構造になっており、分割体毎に着脱可能になっている。
【００４０】
そして、この床面４０の下に、整圧配管ユニット２０の第１の直線配管部２１，第２の直線配管部２２，屈曲配管部２３，調整管２８、流量計配管ユニット３０の接続配管部３１，３３，バイパス配管部３２，調整管３５が設置されており、床面４０の上に、維持管理部を形成する整圧装置や流量計Ｍ等が設けられている。すなわち、床面４０の下に設置された前述の各配管部からなる配管設備から床面４０を貫通させて立体的な配管部２４Ａ，２４Ｂ，２４Ｃ及び第３の直線配管部３４を分岐して、その配管部に沿って、整圧装置や流量計Ｍ等の維持管理部を設けている。
【００４１】
更には、この維持管理部を覆うように、基礎部１０の低壁１０ａ上に防音機能を有するボックス５０が付設されている。
【００４２】
このような実施形態に係る整圧用配管設備の特徴を列挙すると以下のとおりである。
【００４３】
第１には、上流側の配管１Ａから供給される流体を整圧して下流側の配管１Ｂに供給する整圧用配管設備において、周囲が低壁１０ａで囲われた基礎部１０を備え、基礎部１０内の低壁１０ａ高さ付近に床面４０を架設し、上流側の配管１Ａと下流側の配管１Ｂに接続される配管部（第１の直線配管部２１，第２の直線配管部２２，屈曲配管部２３，接続配管部３１，３３，バイパス配管部３２）を床面４０の下に設置すると共に、整圧装置を含む維持管理部を前記配管部から床面４０上に分岐した配管部（配管部２４Ａ，２４Ｃ，第３の直線配管部３４）に設け、低壁１０ａ上に維持管理部を覆うボックス５０を付設することを特徴とする。
【００４４】
この特徴によると、床面４０下の配管部を密に配置して、基礎部の専有面積を極力小さくした場合にも、床面４０上に維持管理部を設けているので、床面４０上に維持管理用の作業スペースを充分広く確保することができる。また、周囲が低壁１０ａで囲われた基礎部１０内に配管部を設置して、その上を低壁１０ａ高さ付近に架設した床面４０で覆っているので、基礎部１０の低壁１０ａによって配管部を有効に保護することができ、また、低壁１０ａ上に維持管理部を覆うボックス５０を付設することで、低壁１０ａとボックス５０とによって、配管部と維持管理部が完全に覆われることになり、整圧時の騒音対策を更に強化することができる。特に、配管１Ａ及び接続配管部３３が基礎部１０の低壁１０ａを貫通する構造になっているので、ボックス５０に配管用の開口を形成する必要が無く、ボックス５０の防音効果を確実に得ることができる。
【００４５】
第２には、前述の特徴に併せて、前記配管部は、整圧装置を備えた整圧配管ユニット２０と流量計を備えた流量計配管ユニット３０が基礎部１０内で接合されて形成されることを特徴とする。
【００４６】
この特徴によると、前述の特徴に加えて、配管部を分割されたユニットによって構成するので、ユニットを工場製作して、これを現地に搬入し、溶接、ろう付け、融着、フランジ接合、ネジ接合、ユニオン接合、機械的接合等により接合する施工が可能になる。これによって、各ユニットの接合・組み立て寸法精度を向上させることができると共に、現地での工程を大幅に削減して工事費の削減や工期の短縮を可能にすることができる。また、分割したユニット化によって、現地への搬入が容易になる。
【００４７】
第３には、前述の特徴に併せて、整圧配管ユニット２０は、上流側の配管１Ａに接続される第１の直線配管部２１と、第１の直線配管部２１と平行に配置された第２の直線配管部２２と、第２の直線配管部２２から流量計配管ユニット３０に接続される屈曲配管部２３とが床面４０の下に配備され、第１の直線配管部２１と第２の直線配管部２２とを連通する配管部２４Ａ，２４Ｃに沿って設けられた整圧装置が床面４０の上に配備され、流量計配管ユニット３０は、第１及び第２の直線配管部２１，２２に並列したバイパス配管部３２が床面４０の下に配備され、バイパス配管部３２に沿って形成された流量計Ｍを有する第３の直線配管部３４が床面４０の上に配備されることを特徴とする。
【００４８】
この特徴によると、前述の特徴に加えて、整圧配管ユニット２０を、第１の直線配管部２１とこの第２の直線配管部２１と平行に配置された第２の直線配管部２２と第２の直線配管部２２から流量計配管ユニット３０に接続される屈曲配管部２３とで形成しているので、床面４０下に配置される整圧配管ユニット２０の配管を狭い面積に集約させることができ、基礎部１０の面積を極力小さくすることができる。
【００４９】
また、第１の直線配管部２１と第２の直線配管部２２とを連通する配管部２４Ａ，２４Ｃに沿って設けられた整圧装置を床面４０上に配備するようにしたので、整圧配管ユニット２０の維持管理部を形成する配管を立体配置にすることができ、整圧配管ユニット２０を運搬する際に全体の配管部をコンパクトにまとめることができる。
【００５０】
そして、流量計配管ユニット３０を、前述した整圧配管ユニット２０の第１及び第２の直線配管部２１，２２に並列したバイパス配管部３２とバイパス配管部３２に沿って形成された流量計Ｍを有する第３の直線配管部３４によって形成したので、第３の直線配管部３４の直線配管部分を充分に確保して、良好な流量計の計測精度を確保した場合であっても、整圧用配管設備全体の専有面積が広くならない。したがって、流量計として、渦流量計，タービンメータ，超音波メータ，オリフィス式流量計，差圧式流量計等、その前後に直線配管部分を必要とするものを採用する場合にも、全体の専有面積を極力小さくすることが可能になる。
【００５１】
また、バイパス配管部３２を床面４０の下に配備し、第３の直線配管部３４を床面４０の上に配備するようにしたので、第３の直線配管部３４に設けられる流量計Ｍ等の維持管理部の管理作業を床面４０上の作業スペースで容易に行うことが可能になる。
【００５２】
第４には、前述の特徴に併せて、床面４０は、床上から床下が目視可能な網目構造であって、着脱可能な分割体からなることを特徴とする。これによると、床面４０上の作業スペースから床下の配管部を目視点検することができる。また、床面４０を着脱可能な分割体にしているので、床下の配管部の一部に問題があった場合に、その部分に対応する分割体を取り外して床下に対する作業を施すことが可能になる。
【００５３】
以上のような特徴を有する本発明の実施形態に係る整圧用配管設備によると、防音施設を有する設備の設置面積を可能な限り狭くし、設備の小型化や現地での施工性を考慮しながら、充分な維持管理用の作業スペースを確保することができ、また、基礎に設置された配管部を充分に保護し、ボックス５０のよる防音効果を効果的に得ることができる。
【００５４】
なお、前述した実施形態では、整圧配管ユニット２０と流量計配管ユニット３０とからなる配管部を示したが、これに限らず、他の機能ユニットを追加したものや、或いは整圧配管ユニット２０のみの配管部であってもよい。また、維持管理部として、整圧装置と流量計を有する装備を示したが、これに限らず、他の計測装置や管理装置を装備するものや、整圧装置のみ或いは計測計のみのものであっても良い。
【００５５】
また、前述の実施形態では、基礎部１０を形成した例を示したが、これに限らず地面上に直接ボックス等の防音施設を敷設するものであってもよく、防音施設としては、ボックスに限らず防音機能を有する施設であればどのような施設であってもよい。
【図面の簡単な説明】
【００５６】
【図１】本発明の実施形態に係る本発明の実施形態に係る整圧用配管設備を説明する平面図（床面除く）。
【図２】本発明の実施形態に係る本発明の実施形態に係る整圧用配管設備を説明する平面図（床面あり）。
【図３】発明の実施形態に係る整圧用配管設備を説明する断面図（Ａ−Ａ断面図）である。
【図４】発明の実施形態に係る整圧用配管設備を説明する平面図（床面４０の分割体を示す図）である。
【符号の説明】
【００５７】
１Ａ，１Ｂ    配管
１０    基礎部    １０ａ    低壁
２０    整圧配管ユニット
２１    第１の直線配管部
２２    第２の直線配管部
２３    屈曲配管部
２４Ａ，２４Ｂ，２４Ｃ    配管部
２５    濾過器
２６    遮断弁
２７    ガバナ
２８，３５    調整管
３０    流量計配管ユニット
３１，３３    接続配管部
３２    バイパス配管部
３４    第３の直線配管部
Ｍ    流量計
４０    床面
５０    ボックス
６０    遮断弁アクチュエータ
【図１】
2005291443.tif 000003
【図２】
2005291443.tif 000004
【図３】
2005291443.tif 000005
【図４】
2005291443.tif 000006